(57)【特許請求の範囲】
【請求項１】
複数の階を備えた建物において、
最下の前記階よりも上階で、同一階となる少なくとも一の前記階の床領域には、一般床領域と、前記一般床領域よりも床衝撃吸収性能が高い遮音床領域とが設けられており、
前記一般床領域は、第１下地層と、複数の床パネルが並設され、前記第１下地層を支持する第１スラブ層と、を備えており、
前記遮音床領域は、前記第１下地層よりも厚い第２下地層と、前記第１スラブ層の前記床パネルと同一の厚さを有する複数の床パネルが並設され、前記第２下地層を支持する第２スラブ層と、を備えており、
前記一般床領域の仕上げ高さと前記遮音床領域の仕上げ高さとが揃っており、
前記一般床領域と前記遮音床領域との境界には梁部が設けられており、
前記第１スラブ層を構成する前記床パネルは、前記梁部の上面で支持されており、前記第２スラブ層を構成する前記床パネルは、前記梁部から持ち出され、前記梁部の上面よりも低い支持面を有する支持部材を介して前記梁部で支持されていることを特徴とする建物。
【請求項２】
前記梁部の上面と前記第２スラブ層を構成する前記床パネルの上面とは、略同一高さで連続している請求項１記載の建物。
【請求項３】
前記梁部には、前記支持部材が設けられた側面とは反対側の側面に、ねじれ防止梁が接合されている請求項１または２記載の建物。
【請求項４】
前記第２下地層は、複数の根太を備えており、
前記複数の根太の間には、空隙部を有する遮音マットが配置されており、
前記空隙部内には、減衰手段が設けられている請求項１〜３のいずれか一項記載の建物。
【請求項５】
前記遮音床領域に壁が設けられており、
前記壁に対して前記第２下地層が勝っている、請求項１〜４の何れか一項に記載の建物。
【請求項６】
前記複数の階は、前記上階の下側である下階を備え、
平面視で前記上階の居室と前記下階の居室との重複領域には、前記遮音床領域が設けられており、
平面視で前記上階と前記下階との少なくとも何れかに非居室が存在する領域に設けられている領域には、前記一般床領域が設けられていることを特徴とする請求項１〜５の何れか一項に記載の建物。
【請求項７】
平面視で、前記上階の居室と前記下階の居室とが重複している、請求項６に記載の建物。
【請求項８】
前記一般床領域に、水回り設備が設けられている、請求項６又は７に記載の建物。
【請求項９】
前記一般床領域は、前記第１スラブ層を支持する第１梁部を更に備え、
前記遮音床領域は、前記第２スラブ層を支持する第２梁部を更に備え、
前記第１梁部における前記第１スラブ層を支持する支持面の高さと、前記第２梁部における前記第２スラブ層を支持する支持面の高さとが揃っており、
前記第２スラブ層の前記床パネルの厚さは、前記第１スラブ層の前記床パネルの厚さよりも薄い、請求項１に記載の建物。
【請求項１０】
複数の階を備えた建物において、
最下の前記階よりも上階で、同一階となる少なくとも一の前記階の床領域には、一般床領域と、前記一般床領域よりも床衝撃吸収性能が高い遮音床領域とが設けられており、
前記一般床領域は、第１下地層と、複数の床パネルが並設され、前記第１下地層を支持する第１スラブ層と、前記第１スラブ層を支持する第１梁部とを備え、
前記遮音床領域は、前記第１下地層よりも厚い第２下地層と、複数の床パネルが並設され、前記第２下地層を支持する第２スラブ層と、前記第２スラブ層を支持する第２梁部とを備えており、
前記一般床領域の仕上げ高さと前記遮音床領域の仕上げ高さとが揃っており、
前記第１梁部における前記第１スラブ層を支持する支持面の高さと、前記第２梁部における前記第２スラブ層を支持する支持面の高さとが揃っており、
前記第２スラブ層の前記床パネルの厚さは、前記第１スラブ層の前記床パネルの厚さよりも薄く、
前記第２スラブ層の前記床パネルの比重は、前記第１スラブ層の前記床パネルの比重よりも大きい、建物。
【発明の詳細な説明】
【技術分野】
【０００１】
本発明は、床領域を備える建物に関する。
【背景技術】
【０００２】
建物の床の遮音性を向上させるため、床領域に遮音機能が付与された建物に関する技術が知られている（特許文献１参照）。この種の建物、特に集合住宅などでは、上下階での騒音問題を防ぐために床領域全体に高い遮音性を持たせることが通常であり、また、遮音性向上のために床の層構成を厚くする必要があった。
【先行技術文献】
【特許文献】
【０００３】
【特許文献１】特開２０１３−８７４７９号公報
【発明の概要】
【発明が解決しようとする課題】
【０００４】
しかしながら、用途に応じた様々な空間を形成し得る建物において、床領域全体の遮音性を区別なく向上させる従来の技術思想では、建物内部の空間用途に応じて部分的に遮音性を向上させるという発想にはなり難い。更に、遮音性を高めた床では、一般の床よりも層構成が厚くなり、従って室内の天井高さに影響を与える可能性もあり、建物内部の空間用途に応じた遮音性の好適化を図り難かった。
【０００５】
本発明は、建物内部の空間用途に応じた遮音性向上の好適化を図り易い建物を提供することを目的とする。
【課題を解決するための手段】
【０００６】
本発明は、複数の階を備えた建物において、最下の階よりも上階で、同一階となる少なくとも一の階の床領域には、一般床領域と、一般床領域よりも床衝撃吸収性能が高い遮音床領域とが設けられており、一般床領域は、第１下地層を備えており、遮音床領域は、第１下地層よりも厚い第２下地層を備えており、一般床領域の仕上げ高さと遮音床領域の仕上げ高さとが揃っていることを特徴とする。
【０００７】
本発明によれば、同一階において一般床領域と遮音床領域とを備えた床領域が設けられているので、床領域の全体を遮音床領域とする形態に比べ、建物内部の空間用途に応じた遮音性向上を図り易い。更に、本発明では、遮音床領域の第２下地層を一般床領域の第１下地層よりも厚くしているにもかかわらず、一般床領域の仕上げ高さと遮音床領域の仕上げ高さとが揃っている。このため、一般床領域の天井高さを基準とした場合に、遮音床領域においても当該天井高さを損なうことがなく、遮音床領域における遮音性向上に有利である。その結果、建物内部の空間用途に応じた遮音性向上の好適化を図り易くなる。
【０００８】
また、一般床領域は、複数の床パネルが並設され、第１下地層を支持する第１スラブ層と、第１スラブ層を支持する第１梁部とを更に備え、遮音床領域は、複数の床パネルが並設され、第２下地層を支持する第２スラブ層と、第２スラブ層を支持する第２梁部とを更に備え、第１スラブ層の床パネルの厚さと第２スラブ層の床パネルの厚さとは同一であり、第２梁部における第２スラブ層を支持する支持面の高さは、第１梁部における第１スラブ層を支持する支持面の高さよりも低いと好適である。本構成によれば、第２梁部の支持面は、第１梁部の支持面よりも下がっている。このため、一般床領域の仕上げ高さと遮音床領域の仕上げ高さとが揃った状態としつつ、第２下地層の厚さを第１下地層の厚さよりも容易に厚くすることができる。
【０００９】
また、遮音床領域は、第２梁部から持ち出された支持部材を更に備え、第２梁部は、第１梁部を兼ねており、第１スラブ層は、第２梁部の上面で支持されており、第２スラブ層は、支持部材を介して第２梁部に支持されていると好適である。本構成によれば、一般床領域と遮音床領域とで共通の第２梁部が用いられることにより、梁架構を単純化することができる。
【００１０】
また、遮音床領域に壁が設けられており、壁に対して第２下地層が勝っていると好適である。本構成によれば、壁と第２スラブ層との間に第２下地層が介在している。このため、壁からの振動が第２スラブ層へ直接伝わることを防ぎ、遮音床領域における遮音性をより向上させることができる。
【００１１】
また、遮音床領域に減衰手段が設けられていると好適である。本構成によれば、減衰手段によって遮音床領域における遮音性をより向上させることができる。
【００１２】
また、第２下地層は、複数の根太を備えており、減衰手段は、複数の根太の間に配置されていると好適である。本構成によれば、減衰手段によって第２下地層における床衝撃吸収性能をより向上させることができる。更に、減衰手段が複数の根太の間に配置されていることにより、第２下地層の上面を平坦に保つことができ、第２下地層上に床仕上げ材を設ける場合の施工性がよい。
【００１３】
また、複数の階は、上階の下側である下階を備え、平面視で上階の居室と下階の居室との重複領域には、遮音床領域が設けられており、平面視で上階と下階との少なくとも何れかに非居室が存在している領域には、一般床領域が設けられていると好適である。居室は住人等の居住者が継続的に使用する空間であり、上階での騒音は非居室よりも居室の方が発生し易い。また、居住者が居室で過ごす時間は、非居室で過ごす時間よりも長くなるのが通常である。したがって、上階の床領域の遮音性は、下階の非居室に対してよりも、居室に対しての方が大きな効果を期待できる。本態様では、遮音床領域が、上階の居室と下階の居室との重複領域に設けられているため、建物内部の空間用途に応じた遮音性向上の好適化に有利である。更に、遮音床領域は、一般床領域に比べて床衝撃吸収性能が高いので、通常であれば、一般床領域よりも手間やコストがかかることが多い。本態様では、上階と下階との少なくとも何れかに非居室が存在している領域には遮音床領域でなく一般床領域が設けられているため、施工性の向上に有利になる。
【００１４】
また、平面視で、上階の居室と下階の居室とが重複していると好適である。居室は、水回り設備が設けられていない空間である。このため、上階の居室と下階の居室との重複領域では、下階の天井裏に上階の排水管等が配設される可能性が低い。よって、下階の天井裏に上階の排水管等が配設されることにより下階の天井高さが損なわれるおそれを抑制することができる。
【００１５】
また、一般床領域に、水回り設備が設けられていると好適である。第１下地層が第２下地層よりも薄い分、一般床領域における第１スラブ層の下端部側の空間は、遮音床領域における第２スラブ層の下端部側の空間よりも広くなっている。よって、一般床領域に水回り設備を設けることで、一般床領域における第１スラブ層の下端部側の空間において排水管等を容易に横引きすることが可能となる。
【００１６】
また、一般床領域は、複数の床パネルが並設され、第１下地層を支持する第１スラブ層と、第１スラブ層を支持する第１梁部とを更に備え、遮音床領域は、複数の床パネルが並設され、第２下地層を支持する第２スラブ層と、第２スラブ層を支持する第２梁部とを更に備え、第１梁部における第１スラブ層を支持する支持面の高さと、第２梁部における第２スラブ層を支持する支持面の高さとが揃っており、第２スラブ層の床パネルの厚さは、第１スラブ層の床パネルの厚さよりも薄いと好適である。本構成によれば、第２スラブ層の床パネルの上面は、第１スラブ層の床パネルの上面よりも下がっている。このため、一般床領域の仕上げ高さと遮音床領域の仕上げ高さとが揃った状態としつつ、第２下地層の厚さを第１下地層の厚さよりも容易に厚くすることができる。
【００１７】
また、第２スラブ層の床パネルの比重は、第１スラブ層の床パネルの比重よりも大きいと好適である。一般に、比重が大きいほど、遮音性は向上する。よって、本構成によれば、第２スラブ層の床パネルが第１スラブ層の床パネルよりも薄くても、第２スラブ層の床パネルが第１スラブ層の床パネルと同一の厚さである場合と同等以上の遮音性を確保することができる。
【発明の効果】
【００１８】
本発明に係る建物によれば、建物内部の空間用途に応じた遮音性向上の好適化を図り易くなる。
【図面の簡単な説明】
【００１９】
【図１】本発明の第１実施形態に係る建物の代表階を模式的に示す平断面図である。
【図２】本実施形態に係る代表階の床領域であって、一般床領域と遮音床領域とを区別して示す平面図である。
【図３】本実施形態に係る建物の階を模式的に示す図である。
【図４】本実施形態に係る建物の一般床領域及び遮音床領域を示す断面図である。
【図５】第２梁部から持ち出された支持部材を示す斜視図である。
【図６】第１の変形例に係る遮音床領域の断面図である。
【図７】第２の変形例に係る遮音床領域の断面図である。
【図８】ダイナミックダンパーを示し、（ａ）は側面図、（ｂ）は斜視図である。
【図９】第３の変形例に係る遮音床領域の断面図である。
【図１０】本発明の第２実施形態に係る建物の階を模式的に示す図である。
【図１１】本発明の第３実施形態に係る建物の一般床領域及び遮音床領域を示す断面図である。
【発明を実施するための形態】
【００２０】
以下、本発明に係る実施の形態について図面を参照しながら具体的に説明する。便宜上、実質的に同一の要素には同一の符号を付し、その説明を省略する場合がある。
【００２１】
本実施形態に係る建物１Ａ（図１、図２、及び図３参照）は、所定の平面モジュールを有する規格化建物（工業化住宅）である。規格化建物とは、規格化（標準化）された複数の部材の組み合わせにより構築される建物である。平面モジュールとは、建築において設計上の基準となる基本寸法を意味し、建物の各部分を一定の大きさの倍数で統一するときの基準となる大きさを意味する。
【００２２】
建物１Ａは、複数の階、具体的には１階１ａ、２階１ｂ、３階１ｃ、４階１ｄを備える集合住宅であり、共用部分２を除き、構造上、複数の独立した住戸３，４に区画されている。各住戸３，４には、例えば、出入り口となる玄関ドア３ａ，４ａが設けられている。
【００２３】
建物１Ａは、コンクリート製の基礎梁と、水平方向に所定距離離間して基礎梁に立設された複数の柱１１と、柱１１間に設けられた大梁１３，１４（図４参照）とを備える。基礎梁は、例えば布基礎であり、水平方向に延在して柱１１の下端（柱脚）間にわたって設けられている。柱１１は例えば角形鋼管からなり、大梁１３，１４は例えばＨ形鋼からなる。なお、本体架構は柱勝ち又は梁勝ちのいずれであってもよい。基本的に、基礎梁と大梁１３，１４とは、上下方向において対向するようにして、互いに平行に延在する。すなわち、基礎梁と大梁１３，１４とは、同じ水平方向に延在している。
【００２４】
また、建物１Ａは、大梁１３，１４間に渡された小梁を備えている。小梁の両端は、柱１１では無く、基本的に大梁１３，１４に連結され、大梁１３，１４によって支持されている。小梁の設置場所や本数等は、建物１Ａの間取り、後述する床パネルの寸法、その他の必要性に応じて任意に決定できる。
【００２５】
本実施形態に係る建物１Ａは、各階の住戸３，４の配置や各住戸３，４の間取りが基本的に同様である。したがって、図１、及び図２を参照し、その代表階として２階１ｂを例に説明する。なお、各階の住戸３，４の配置や住戸３，４の数、各住戸３，４の間取りや床領域、更に共用部分２の内容や設備等は、階１ａ〜１ｄごとに異なっていてもよい。
【００２６】
２階１ｂには、二つの住戸３，４が境界壁１２を挟んで設けられており、更に、両方の住戸３，４に隣接する共用部分２が設けられている。共用部分２には、上下階を連絡する階段部２１と、各住戸３，４の玄関ドア３ａ，４ａに通じる共用廊下２２が設けられている。
【００２７】
説明の便宜のため、以下の説明では、図１の左側である一方の住戸を第１住戸３と呼び、右側である他方の住戸を第２住戸４と呼ぶ。平面視で第１住戸３は、略Ｔ字を寝かせたような形状であり、第２住戸４は、略Ｌ字を左右逆にした逆Ｌ字状の形状である。
【００２８】
第１住戸３は、居間兼食堂３０ａと台所３０ｂとが仕切りなく隣接しているＬＤＫ３０を備えている。また、第１住戸３は、ＬＤＫ３０に隣接する第１洋室３１と、第１洋室３１の反対側においてＬＤＫ３０に隣接する第２洋室３２とを備えている。ＬＤＫ３０及び第１洋室３１にはトイレ３３が隣接し、トイレ３３には玄関廊下３４が隣接している。第２洋室３２には、押し入れなどの収納室３５が隣接し、収納室３５を挟んで第２洋室３２の反対側には、洗面室３６及び浴室３７が設けられている。更に、第１住戸３には、居間兼食堂３０ａから出入り可能なベランダ３８が設けられている。
【００２９】
第２住戸４は、居間兼食堂４０ａと台所４０ｂとが仕切りなく隣接しているＬＤＫ４０を備えている。ＬＤＫ４０には玄関廊下４４とトイレ４３とが隣接し、玄関廊下４４及びトイレ４３に隣接して第１洋室４１が設けられている。また、ＬＤＫ４０には、洗面室４６及び浴室４７が隣接しており、更に洗面室４６及び浴室４７に並んで第２洋室４２が設けられている。第２洋室４２には押し入れなどの収納室４５が設けられている。更に、第２住戸４には、居間兼食堂４０ａから出入り可能なベランダ４８が設けられている。
【００３０】
第１住戸３及び第２住戸４は、居室１５Ａと非居室１５Ｂとを備えている（図２参照）。本実施形態に係る居室１５Ａは、住人等の居住者が長時間に亘って滞在し、または寛ぐことを想定した空間であり、２．５ｍ×２．０ｍ以上の床面積（例えば、３畳以上）を有し、水回り設備が設けられていない空間である。水回り設備とは台所３０ｂ，４０ｂの流し台３０ｃ，４０ｃ、洗面室３６，４６の洗面台３６ａ，４６ａ、浴室３７，４７の浴槽３７ａ，４７ａ、トイレ３３，４３の便器３３ａ，４３ａ等である。第１住戸３の居間兼食堂３０ａ、第１洋室３１、及び第２洋室３２、第２住戸４の居間兼食堂４０ａ、第１洋室４１、及び第２洋室４２は居室１５Ａに相当する。居室１５Ａ以外は、非居室１５Ｂであり、第１住戸３のトイレ３３、玄関廊下３４、台所３０ｂ、洗面室３６、及び浴室３７、第２住戸４のトイレ４３、玄関廊下４４、台所４０ｂ、洗面室４６、及び浴室４７は非居室１５Ｂである。また、共用部分２も基本的に非居室１５Ｂである。
【００３１】
図２に示されるように、居室１５Ａの床領域は遮音床領域５（図２の二点鎖線参照）とされており、非居室１５Ｂの床領域は一般床領域６とされている。遮音床領域５は、一般床領域６に比べて床衝撃吸収性能が高くなるように構成されている。一般床領域６及び遮音床領域５は、例えば建物１Ａの平面モジュールに基づき設定されている。これにより、規格化製品としての製造が容易となっている。
【００３２】
一般床領域６と遮音床領域５との境界の少なくとも一部は、柱１１間に渡された大梁１４（図４参照）の位置に一致している。すなわち、一般床領域６と遮音床領域５との境界の少なくとも一部は、柱１１間を結ぶ基準線である通り芯上に位置している。一般床領域６と遮音床領域５との境界が通り芯上に位置していると、柱１１間に元々渡されている大梁１４によって一般床領域６と遮音床領域５とを支持することができる。その結果、梁架構を単純化することができる。
【００３３】
図４は、建物１Ａの一般床領域６及び遮音床領域５を示す断面図である。図４に示されるように、一般床領域６は、複数の床パネル６１が並設された第１スラブ層６０と、第１スラブ層６０に積層された第１下地層６２と、第１下地層６２上に設置された床仕上げ材６３と、第１スラブ層６０を支持する大梁（以下、「第１梁部」という）１３と、を備える。また、遮音床領域５は、複数の床パネル５１が並設された第２スラブ層５０と、第２スラブ層５０に積層された第２下地層５２と、第２下地層５２上に設置された床仕上げ材５３と、第２スラブ層５０を支持する大梁（以下、「第２梁部」という）１４と、第２梁部１４から持ち出された支持部材１６と、を備える。
【００３４】
第２梁部１４は、第２スラブ層５０のみならず、第１スラブ層６０も支持している。すなわち、この第２梁部１４は、第１スラブ層６０を支持する第１梁部を兼ねている。具体的には、第２梁部１４の上面１４ａにおいて、第１スラブ層６０が支持されている。また、第２梁部１４には支持部材１６が固定されており、この支持部材１６を介して第２梁部１４に第２スラブ層５０が支持されている。
【００３５】
図５は、第２梁部１４から持ち出された支持部材１６を示す斜視図である。図５に示されるように、支持部材１６は、第２梁部１４のウェブ１４ｂの一方の側面から外側に突出している。支持部材１６は、床パネル５１を支持する受け部１７と、第２梁部１４のウェブ１４ｂから突出するリブ１８と、第２梁部１４のウェブ１４ｂに固定された取付部１９とを有している。
【００３６】
受け部１７は、鉛直方向に延びる鉛直部分と水平方向に延びる水平部分とを有し、断面略Ｌ字状を呈している。受け部１７の水平部分の上面１７ａには、床パネル５１の端部が載置されている。リブ１８は、板状であり、第２梁部１４のウェブ１４ｂの一方の側面から受け部１７に向かって立設されている。取付部１９は、板状であり、ウェブ１４ｂの一方の側面に対して略平行に設けられ、該側面に当接し且つ固定されている。
【００３７】
なお、第２梁部１４のウェブ１４ｂの一方の側面から支持部材１６が持ち出されていることにより、第２梁部１４に作用する荷重は、支持部材１６側に偏っている。そこで、この荷重の偏りを防止するため、第２梁部１４のウェブ１４ｂの他方の側面（支持部材１６と反対側の面）に、ねじれ防止梁が接合されていてもよい。ねじれ防止梁が接合されることにより、第２梁部１４に作用する荷重の偏りによる第２梁部１４の振動が抑制され、遮音床領域５における遮音性が向上する。
【００３８】
図４に示されるように、第１梁部１３の上面１３ａ及び第２梁部１４の上面１４ａは、何れも第１スラブ層６０を支持する支持面を構成しており、互いに同じ高さとなっている。これに対し、受け部１７の水平部分の上面１７ａは、第２スラブ層５０を支持する支持面を構成しており、第１梁部１３の上面１３ａ及び第２梁部１４の上面１４ａよりも下がっている。すなわち、第２スラブ層５０を支持する支持面の高さは、第１スラブ層６０を支持する支持面の高さよりも低くなっている。そして、第１スラブ層６０の床パネル６１の厚さと第２スラブ層５０の床パネル５１の厚さとは同一である。その結果、第２スラブ層５０の床パネル５１の上面５１ａは、第１スラブ層６０の床パネル６１の上面６１ａよりも下がっている。
【００３９】
一般床領域６において、第１スラブ層６０となる床パネル６１は、例えば、矩形状の軽量気泡コンクリート（ＡＬＣ）パネルであるが、プレキャストコンクリートその他の矩形状の床パネル６１であってもよい。床パネル６１は基本的に一対の短辺部で第１梁部１３に支持されている。第１下地層６２は、例えば、床パネル６１上に敷設された複数の根太６２ａ、根太６２ａ間に設置された不織布６２ｂ、不織布６２ｂ上に敷き詰められた遮音マット６２ｃ、及び根太６２ａ上に設置された石膏ボード６２ｄ、石膏ボード６２ｄ上に設置された遮音マット６２ｅ、及び遮音マット６２ｅ上に設置された下地合板６２ｆを備えている。第１下地層６２の上には、床仕上げ材６３が設置されている。
【００４０】
遮音床領域５において、第２スラブ層５０となる床パネル５１は、例えば、矩形状の軽量気泡コンクリート（ＡＬＣ）パネルであるが、プレキャストコンクリートその他の矩形状の床パネル５１であってもよい。床パネル５１は基本的に一対の短辺部で第２梁部１４に支持されている。第２下地層５２は、例えば、床パネル５１上に敷設された複数の根太５２ａ、根太５２ａ間に設置された不織布５２ｂ、不織布５２ｂ上に敷き詰められた遮音マット５２ｃ、及び根太５２ａ上に設置された石膏ボード５２ｄ、石膏ボード５２ｄ上に設置された遮音マット５２ｅ、及び遮音マット５２ｅ上に設置された下地合板５２ｆを備えている。第２下地層５２の上には、床仕上げ材５３が設置されている。
【００４１】
上述したように、第２スラブ層５０の床パネル５１の上面５１ａが第１スラブ層６０の床パネル６１の上面６１ａよりも下がっている分、第２下地層５２の厚さは、第１下地層６２の厚さよりも厚くなっている。具体的には、第２下地層５２における各遮音マット５２ｃ，５２ｅの厚さが、第１下地層６２における各遮音マット６２ｃ，６２ｅの厚さよりも厚くなっている。これにより、第２下地層５２は、第１下地層６２よりも床衝撃吸収性能が高くなっている。
【００４２】
第１下地層６２が第２下地層５２よりも薄い分、第１スラブ層６０の床パネル６１の下面６１ｂは、第２スラブ層５０の床パネル５１の下面５１ｂよりも上がっている。すなわち、第２スラブ層５０の床パネル５１が第１梁部１３の上面１３ａ及び第２梁部１４の上面１４ａよりも低い位置にあるのに対し、第１スラブ層６０の床パネル６１は、第１梁部１３の上面１３ａ及び第２梁部１４の上面１４ａよりも高い位置にある。これにより、一般床領域６では、第１梁部１３と第２梁部１４との間に床パネル６１が存在しておらず、隙間空間が形成されている。その結果、一般床領域６における第１スラブ層６０の下端部側の空間は、遮音床領域５における第２スラブ層５０の下端部側の空間よりも広くなっている。
【００４３】
第１下地層６２上の床仕上げ材６３の上面６３ａと、第２下地層５２上の床仕上げ材５３の上面５３ａとは、同じ高さとなっている。すなわち、一般床領域６の床面と遮音床領域５の床面とは段差がなく面一となっており、一般床領域６の仕上げ高さと遮音床領域５の仕上げ高さとが揃っている。よって、第２下地層５２の厚さを厚くした分、遮音床領域５の床面が上がってしまうことが防止され、床面から天井の面までの天井高さが損なわれない。
【００４４】
以上、本実施形態によれば、同一階において一般床領域６と遮音床領域５とを備えた床領域が設けられているので、床領域の全体を遮音床領域５とする形態に比べ、建物内部の空間用途に応じた遮音性向上を図り易い。更に、本実施形態では、遮音床領域５の第２下地層５２を一般床領域６の第１下地層６２よりも厚くしているにもかかわらず、一般床領域６の仕上げ高さと遮音床領域５の仕上げ高さとが揃っている。このため、一般床領域６の天井高さを基準とした場合に、遮音床領域５においても当該天井高さを損なうことがなく、遮音床領域５における遮音性向上に有利である。その結果、建物内部の空間用途に応じた遮音性向上の好適化を図り易くなる。
【００４５】
また、床領域の全体を遮音床領域５とする形態では、床領域の全体の下地層を厚くする必要があるが、本実施形態によれば、床領域の全体ではなく一部分を遮音床領域５としているため、床領域の全体の下地層を厚くする必要がない。このため、構造の簡素化や施工作業性の向上につながり、コスト面でも有利となる。
【００４６】
また、本実施形態によれば、受け部１７の上面１７ａは、第２梁部１４の上面１４ａよりも下がっている。このため、一般床領域６の仕上げ高さと遮音床領域５の仕上げ高さとが揃った状態としつつ、第２下地層５２の厚さを第１下地層６２の厚さよりも容易に厚くすることができる。
【００４７】
また、本実施形態によれば、第１スラブ層６０が第２梁部１４における上面１４ａで支持されており、第２スラブ層５０が支持部材１６を介して第２梁部１４で支持されている。よって、一般床領域６と遮音床領域５とで共通の第２梁部１４が用いられることにより、梁架構を単純化することができる。
【００４８】
次に、図６、図７、及び図９を参照し、変形例に係る遮音床領域５について説明する。図６は、第１の変形例に係る遮音床領域５の断面図であり、図７は、第２の変形例に係る遮音床領域５の断面図であり、図９は、第３の変形例に係る遮音床領域５の断面図である。なお、第１〜第３の変形例において、上記の基本となる実施形態と共通する部材や要素には、同一の符号を付して詳細な説明を省略する。
【００４９】
図６に示されるように、第１の変形例に係る遮音床領域５には、間仕切り壁２０（壁）が設けられている。間仕切り壁２０は、床仕上げ材５３の上に立設されており、床勝ちの納まりになっている。すなわち、間仕切り壁２０に対して、床仕上げ材５３及び第２下地層５２が勝っている。この変形例によれば、間仕切り壁２０と第２スラブ層５０との間に、第２下地層５２及び床仕上げ材５３が介在している。このため、間仕切り壁２０からの振動が第２スラブ層５０へ直接伝わることを防ぎ、遮音床領域５における遮音性をより向上させることができる。
【００５０】
図７に示されるように、第２の変形例に係る遮音床領域５には、減衰手段としてダイナミックダンパー７（図８参照）が設置されている。ダイナミックダンパー７は、一端が床パネル５１の裏面に固定された長尺状の板バネ部（弾性部）７１と、板バネ部７１の他端に固定された高減衰ゴム部（干渉部）７２と、おもり部７３とを備えている。高減衰ゴム部７２は、板バネ部７１の床パネル５１側に固定されており、おもり部７３は、高減衰ゴム部７２とは反対側に固定されている。床に加わった衝撃により、床パネル５１が振動すると、その振動に対しておもり部７３は逆位相で動く。その結果、高減衰ゴム部７２が床パネル５１にあたり、床パネル５１の振動を抑制する。この変形例によれば、ダイナミックダンパー７によって、遮音床領域５における遮音性をより向上させることができる。
【００５１】
図９に示されるように、第３の変形例に係る遮音床領域５には、第２下地層５２の根太５２ａの間に配置された減衰手段７Ａが設けられている。具体的に、遮音マット５２ｃ内に面内方向に沿って延在する複数の空隙部５２ｇが形成されており、空隙部５２ｇ内に粒子、紛体、流体などからなる減衰手段７Ａが配置されている。空隙部５２ｇ内に配置される減衰手段７Ａは、粒子、紛体、流体などを袋詰めした態様であってもよく、更に、上述のダイナミックダンパー７であっても良い。この変形例によれば、減衰手段７Ａによって、第２下地層５２における床衝撃吸収性能をより向上させることができる。更に、減衰手段７Ａが根太５２ａの間に配置されていることにより、第２下地層５２の上面を平坦に保つことができ、第２下地層５２上に床仕上げ材５３を設ける場合の施工性がよい。なお、図９に示される空隙部５２ｇは、遮音マット５２ｃの上面に形成された複数の溝部が石膏ボード５２ｄで塞がれることによって形成されていてもよい。
【００５２】
なお、遮音床領域５の遮音性を更に向上させるため、ダイナミックダンパー７と減衰手段７Ａとの両方を遮音床領域５に設けてもよい。また、例えば、遮音床領域５の床パネル５１を、一般床領域６の床パネル６１に比べて床衝撃吸収性能が高くなるような材質としたり、また、一般床領域６の床パネル５１よりも強度を強くしたり、比重を大きくしたり、厚みを厚くする等してもよい。
【００５３】
次に、図３を参照し、建物１Ａの上下の階の居室１５Ａ及び非居室１５Ｂと床領域との関係について説明する。図３は、本実施形態に係る建物１Ａの縦断面図であり、各階１ａ〜１ｄを模式的に示している。各階１ａ〜１ｄの居室１５Ａと非居室１５Ｂとの配置は同じであり、居室１５Ａ同士、及び非居室１５Ｂ同士は、平面視で重なり合っている。
【００５４】
複数の階１ａ〜１ｄは、床領域が設けられた上階と、この床領域の下側である下階とを備えている。例えば、１階１ａを下階と考えた場合、２階１ｂが上階となり、２階１ｂを下階と考えた場合、３階１ｃが上階となり、３階１ｃを下階と考えた場合、４階１ｄが上階となる。本実施形態では、各階１ａ〜１ｄの居室１５Ａと非居室１５Ｂとの配置は同じであり、居室１５Ａ同士、及び非居室１５Ｂ同士は上下に重なっている。したがって、以下の説明では、１階を下階、２階を上階と考えた場合を例に説明する。
【００５５】
２階１ｂの居室１５Ａと１階１ａの居室１５Ａとは平面視で重なっており、２階１ｂの居室１５Ａと１階１ａの居室１５Ａとの重複領域には、遮音床領域５が設けられている。居室１５Ａは住人等の居住者が継続的に使用する空間であり、２階１ｂでの騒音は非居室１５Ｂよりも居室１５Ａの方が発生し易い。また、居住者が居室１５Ａで過ごす時間は、非居室１５Ｂで過ごす時間よりも長くなるのが通常である。したがって、２階１ｂの床領域の遮音性は、１階１ａの非居室１５Ｂに対してよりも、居室１５Ａに対しての方が大きな効果を期待できる。本実施形態では、２階１ｂの居室１５Ａと１階１ａの居室１５Ａとの重複領域に遮音床領域５が設けられているため、建物１Ａの内部の空間用途に応じた遮音性向上の好適化に有利である。
【００５６】
また、上述したように、居室１５Ａには、水回り設備が設けられていない。このため、２階１ｂの居室１５Ａと１階１ａの居室１５Ａとの重複領域では、１階１ａの天井裏に２階１ｂの排水管等が配設される可能性が低い。よって、１階１ａの天井裏に２階１ｂの排水管等が配設されることにより１階１ａの天井高さが損なわれるおそれを抑制することができる。
【００５７】
更に、２階１ｂの非居室１５Ｂと１階１ａの非居室１５Ｂとは平面視で重なっており、２階１ｂの非居室１５Ｂと１階１ａの非居室１５Ｂとの重複領域には、一般床領域６が設けられている。遮音床領域５は、一般床領域６に比べて床衝撃吸収性能が高いので、通常であれば、一般床領域６よりも手間やコストがかかることが多い。本実施形態によれば、平面視で２階１ｂと１階１ａとの両方に非居室１５Ｂが存在している領域には遮音床領域５ではなく一般床領域６が設けられているため、施工性の向上に有利になる。
【００５８】
また、上述したように、水回り設備は非居室１５Ｂに設けられている。このため、平面視で２階１ｂと１階１ａとの両方に非居室１５Ｂが存在している領域、すなわち一般床領域６には、水回り設備が設けられている。上述したように、一般床領域６における第１スラブ層６０の下端部側の空間（天井懐）は、遮音床領域５における第２スラブ層５０の下端部側の空間よりも広くなっている。よって、一般床領域６に水回り空間を設けることで、一般床領域６における第１スラブ層６０の下端部側の空間において、例えば第１梁部１３に形成された穴等を通して排水管等を横方向に容易に設置すること、すなわち排水管等を容易に横引きすることが可能となる。
【００５９】
また、１階１ａの非居室１５Ｂの天井高さと、１階１ａの居室１５Ａの天井高さとが揃っている。すなわち、２階１ｂの一般床領域６の直下の階の天井面と、２階１ｂの遮音床領域５の直下の階の天井面とが面一となっている。よって、２階１ｂの遮音床領域５における第２スラブ層５０の床パネル５１の下面５１ｂが、２階１ｂの一般床領域６における第１スラブ層６０の床パネル６１の下面６１ｂよりも下がっている分、２階１ｂの遮音床領域５の直下の階の天井面が下がってしまうことを防止することができる。
【００６０】
次に、図１０を参照して第２の実施形態に係る建物１Ｂについて説明する。図１０は、第２の実施形態に係る建物１Ｂの縦断面図であり、各階１ａ〜１ｄを模式的に示している。各階１ａ〜１ｄの居室１５Ａと非居室１５Ｂとの配置は、１階１ａと３階１ｃとが同じであり、２階１ｂと４階１ｄとが同じである。１階１ａの居室１５Ａと２階１ｂの居室１５Ａとは、平面視で一部分が重なり、同様に、２階の居室１５Ａと３階の居室１５Ａとは、平面視で一部分が重なり、３階の居室１５Ａと４階の居室１５Ａとは、平面視で一部分が重なる。
【００６１】
各階１ａ〜１ｄの一般床領域６と遮音床領域５との配置は同じであり、平面視で、一般床領域６同士、及び遮音床領域５同士は上下に重なっている。したがって、以下の説明では、１階を下階、２階を上階と考えた場合を例に説明する。２階１ｂの居室１５Ａと１階の居室１５Ａとは平面視で部分的に重なっており、２階１ｂの居室１５Ａと１階１ａの居室１５Ａとの重複領域には、遮音床領域５が設けられている。
【００６２】
２階１ｂの非居室１５Ｂと１階１ａの居室１５Ａの一部分とは平面視で重なっており、２階１ｂの非居室１５Ｂと１階１ａの居室１５Ａとの重複領域には、一般床領域６が設けられている。また、２階１ｂの居室１５Ａの一部分と１階１ａの非居室１５Ｂとは平面視で重なっており、２階１ｂの居室１５Ａと１階１ａの非居室１５Ｂとの重複領域には、一般床領域６が設けられている。すなわち、平面視で２階１ｂと１階１ａとの何れか一方に非居室１５Ｂが存在している領域に、一般床領域６が設けられている。
【００６３】
遮音床領域５は、一般床領域６に比べて床衝撃吸収性能が高いので、通常であれば、一般床領域６よりも手間やコストがかかることが多い。本実施形態によれば、２階１ｂと１階１ａとの何れか一方に非居室１５Ｂが存在している領域には遮音床領域５ではなく一般床領域６が設けられるため、施工性の向上に有利になる。なお、必要により、平面視で２階１ｂと１階１ａとの少なくとも一方に非居室１５Ｂが存在している領域に遮音床領域５を設けることも可能である。
【００６４】
次に、図１１を参照して第３の実施形態に係る建物について説明する。図１１は、第３の実施形態に係る建物の一般床領域６及び遮音床領域５を示す断面図であって、図４に対応している。図１１に示されるように、本実施形態では、第２梁部１４から支持部材１６が持ち出されておらず、第２スラブ層５０は、第２梁部１４の上面１４ａにおいて支持されている。
【００６５】
本実施形態では、第２梁部１４の上面１４ａが、第２スラブ層５０を支持する支持面を構成している。よって、第１スラブ層６０を支持する支持面の高さと、第２スラブ層５０を支持する支持面の高さとが揃っている。そして、第２スラブ層５０の床パネル５１の厚さは、第１スラブ層６０の床パネル６１の厚さよりも薄くなっている。その結果、第２スラブ層５０の床パネル５１の上面５１ａは、第１スラブ層６０の床パネル６１の上面６１ａよりも下がっている。このため、一般床領域６の仕上げ高さと遮音床領域５の仕上げ高さとが揃った状態としつつ、第２下地層５２の厚さを第１下地層６２の厚さよりも容易に厚くすることができる。
【００６６】
また、本実施形態では、第２スラブ層５０の床パネル５１の比重が、第１スラブ層６０の床パネル６１の比重よりも大きくなっている。一般に、比重が大きいほど、遮音性は向上する。よって、第２スラブ層５０の床パネル５１が第１スラブ層６０の床パネル６１よりも薄くても、第２スラブ層５０の床パネル５１が第１スラブ層６０の床パネル６１と同一の厚さである場合と同等以上の遮音性を確保することができる。
【００６７】
以上、各実施形態を参照して本発明を説明したが、本発明は、上記の実施形態のみに限定解釈されない。例えば、居室は、建築基準法で定められた空間に限定されず、例えば書斎、子供部屋、客室などの、居住、執務、作業、集会、娯楽その他これらに類する目的のために継続的に使用する室を広く含み、より具体的には、２．５ｍ×２．０ｍ以上の床面積を有し、水回り設備が設けられていない空間として規定できる。また、非居室１５Ｂは、居室以外の空間をいい、上記の例に限定されず、例えば、住戸内の階段や納戸（サービスルーム）等を含む。
【００６８】
また、上記の各実施形態では、最下の階が地上１階である場合を例に説明したが、地下の階が最下の階であってもよい。
【００６９】
また、上記の各実施形態では、第２梁部１４によって第１スラブ層６０及び第２スラブ層５０の両方が支持されるとしたが、これに限られない。例えば、一般床領域６と遮音床領域５との境界に位置する第２梁部１４によって第１スラブ層６０が支持されていると共に、この第２梁部１４に直交する別の梁部の側面から持ち出された支持部材によって第２スラブ層５０が支持されてもよい。
【００７０】
また、上記第１の変形例では、遮音床領域５に間仕切り壁２０が設けられているとしたが、間仕切り壁２０に限られず、界壁又は隔壁等のその他の壁が設けられていてもよい。
【符号の説明】
【００７１】
１Ａ、１Ｂ…建物、１ａ…１階、１ｂ…２階、１ｃ…３階、１ｄ…４階、５…遮音床領域、６…一般床領域、７…ダイナミックダンパー（減衰手段）、７Ａ…減衰手段、１３…大梁（第１梁部）、１３ａ…上面（支持面）、１４…大梁（第２梁部）、１４ａ…上面（支持面）、１５Ａ…居室、１５Ｂ…非居室、１６…支持部材、１７ａ…上面（支持面）、２０…間仕切り壁（壁）、５０…第２スラブ層、５１…床パネル、５２…第２下地層、６０…第１スラブ層、６１…床パネル、６２…第１下地層、６２ａ…根太。
【図１】
0006730102.tif 000002
【図２】
0006730102.tif 000003
【図３】
0006730102.tif 000004
【図４】
0006730102.tif 000005
【図５】
0006730102.tif 000006
【図６】
0006730102.tif 000007
【図７】
0006730102.tif 000008
【図８】
0006730102.tif 000009
【図９】
0006730102.tif 000010
【図１０】
0006730102.tif 000011
【図１１】
0006730102.tif 000012